(57)【要約】【課題】店舗から流通チェーン本部に対してプライスカードの発行依頼をし、流通チェーン本部から店舗にプライスカードが郵送されてくるまでの間、商品の陳列棚に陳列されている商品に対応したプライスカード（棚札）が取り付けられていないという事態を回避する。【解決手段】プライスカードの発行が宣言された場合に（Ｓ１のＹ）、プライスカードを印字発行するプライスカード発行装置に対してプライスカード要求データを送信し（Ｓ２）、売上処理を行うＰＯＳ端末に対してもプライスカード要求データを送信する（Ｓ３）。これにより、商品販売データ処理装置でプライスカード要求データに従って暫定的な仮プライスカードを印字発行することで（Ｐ１〜Ｐ３）、流通チェーン本部から店舗にプライスカードが郵送されてくるまでの間、仮プライスカードを商品の陳列棚に取り付けることができる。【選択図】        図７
2004348611.tif 000002
【特許請求の範囲】
【請求項１】
店舗の商品陳列棚に取り付けられるプライスカードを印字発行するプライスカード発行装置と、売上処理を行う商品販売データ処理装置とに対してネットワーク接続されているプライスカード発行制御装置であって、
所望の商品に係る前記プライスカードの印字発行を要求するプライスカード要求データを生成するプライスカード要求データ生成手段と、
このプライスカード要求データ生成手段により生成された前記プライスカード要求データに基づく前記プライスカードの発行を宣言するプライスカード発行宣言手段と、
このプライスカード発行宣言手段による宣言があった場合、前記プライスカード要求データを前記プライスカード発行装置に送信するプライスカード要求データ送信手段と、
前記プライスカード発行宣言手段による宣言があった場合、前記プライスカード要求データを前記商品販売データ処理装置に送信する仮プライスカード要求データ送信手段と、
を備えることを特徴とするプライスカード発行制御装置。
【請求項２】
請求項１記載のプライスカード発行制御装置にネットワーク接続され、売上処理を行う商品販売データ処理装置において、
前記プライスカード発行制御装置から送信されたプライスカード要求データに従って暫定的な仮プライスカードを印字発行する仮プライスカード発行手段を備えることを特徴とする商品販売データ処理装置。
【請求項３】
前記仮プライスカードは、商品の売上処理に基づくレシートを印字発行するレシートプリンタから印字発行されることを特徴とする請求項２記載の商品販売データ処理装置。
【請求項４】
店舗の商品陳列棚に取り付けられるプライスカードを印字発行するプライスカード発行方法であって、
所望の商品に係る前記プライスカードの印字発行を要求するプライスカード要求データを生成するプライスカード要求データ生成工程と、
このプライスカード要求データ生成工程により生成された前記プライスカード要求データに基づく前記プライスカードの発行を宣言するプライスカード発行宣言工程と、
このプライスカード発行宣言工程による宣言があった場合、前記プライスカード要求データをプライスカード発行装置に送信するプライスカード要求データ送信工程と、
このプライスカード要求データ送信工程により送信された前記プライスカード要求データに従って前記プライスカード発行装置でプライスカードを印字発行するプライスカード発行工程と、
前記プライスカード発行宣言工程による宣言があった場合、売上処理を行う商品販売データ処理装置に前記プライスカード要求データを送信する仮プライスカード要求データ送信工程と、
この仮プライスカード要求データ送信工程により送信された前記プライスカード要求データに従って前記商品販売データ処理装置で暫定的な仮プライスカードを印字発行する仮プライスカード発行工程と、
を含むことを特徴とするプライスカード発行方法。
【発明の詳細な説明】
【０００１】
【発明の属する技術分野】
本発明は、プライスカード発行制御装置、商品販売データ処理装置及びプライスカード発行方法に関する。
【０００２】
【従来の技術】
従来、スーパーマーケットやコンビニエンスストア等の量販店における商品の陳列棚には、陳列されている商品に対応したプライスカード（棚札）が取り付けられており、陳列されている商品に関する商品コード、商品名、単価、規格（量）、特売表示等の商品情報を顧客が容易に確認できるようになっている。
【０００３】
一般に、このようなプライスカードとしては紙製等のカード式のものが用いられており、商品に関する商品名、単価等の商品情報はプリンタによって印刷されている。
【０００４】
【発明が解決しようとする課題】
ところで、上述したようなプライスカードは、複数の店舗を統括する流通チェーン本部に設けられる棚札発行装置により印字発行するようにしている。より詳細には、
１．店舗から希望するプライスカードの発行申請書を流通チェーン本部に郵送
２．流通チェーン本部はこの発行申請書を受け取った後に棚札発行装置によりプライスカードを印字発行
３．流通チェーン本部から店舗に対してプライスカードを郵送
というような手法を採っている。
【０００５】
しかしながら、このような手法によれば、店舗から流通チェーン本部に対してプライスカードの発行依頼をし、流通チェーン本部から店舗にプライスカードが郵送されてくるまでには、大きなタイムラグが生じている。
【０００６】
本発明は、店舗から流通チェーン本部に対してプライスカードの発行依頼をし、流通チェーン本部から店舗にプライスカードが郵送されてくるまでの間、商品の陳列棚に陳列されている商品に対応したプライスカード（棚札）が取り付けられていないという事態を回避することを目的とする。
【０００７】
【課題を解決するための手段】
本発明のプライスカード発行制御装置は、店舗の商品陳列棚に取り付けられるプライスカードを印字発行するプライスカード発行装置と、売上処理を行う商品販売データ処理装置とに対してネットワーク接続されているプライスカード発行制御装置であって、所望の商品に係る前記プライスカードの印字発行を要求するプライスカード要求データを生成するプライスカード要求データ生成手段と、このプライスカード要求データ生成手段により生成された前記プライスカード要求データに基づく前記プライスカードの発行を宣言するプライスカード発行宣言手段と、このプライスカード発行宣言手段による宣言があった場合、前記プライスカード要求データを前記プライスカード発行装置に送信するプライスカード要求データ送信手段と、前記プライスカード発行宣言手段による宣言があった場合、前記プライスカード要求データを前記商品販売データ処理装置に送信する仮プライスカード要求データ送信手段と、を備える。
【０００８】
したがって、プライスカードの発行が宣言された場合に、プライスカードを印字発行するプライスカード発行装置のみならず、売上処理を行う商品販売データ処理装置に対してもプライスカード要求データが送信される。これにより、商品販売データ処理装置でプライスカード要求データに従って暫定的な仮プライスカードを印字発行することが可能になる。
【０００９】
【発明の実施の形態】
本発明の実施の一形態を図１ないし図８に基づいて説明する。
【００１０】
ここで、図１は情報処理システムＡの全体構成を概略的に示すシステム構成図である。図１に示すように、情報処理システムＡは、複数の店舗を有する流通チェーン本部に設けられるプライスカード発行装置１００と各店舗に設けられる店舗システム１とを、例えば専用回線等の通信ネットワークＮで接続することにより構成されている。各店舗に設けられる店舗システム１は、概略的には、商品販売データ処理装置である複数台のＰＯＳ（Ｐｏｉｎｔ  ｏｆ  Ｓａｌｅｓ：販売時点管理）端末２とこれらのＰＯＳ端末２をＬＡＮ３によって接続して集中管理するストアコンピュータ４とで構成されている。ストアコンピュータ４は、通信ネットワークＮを介して、流通チェーン本部のプライスカード発行装置１００と通信可能とされている。加えて、本実施の形態の店舗システム１には、ＰＤＡ（Ｐｅｒｓｏｎａｌ  Ｄｉｇｉｔａｌ  Ａｓｓｉｓｔａｎｔｓ）と称される携帯用情報端末５と、ＬＡＮ３を介してストアコンピュータ４に接続されており天井などに設置されて携帯用情報端末５との無線通信を可能とする無線通信ユニット６とが、備えられている。すなわち、本実施の形態のストアコンピュータ４は、プライスカード発行制御装置としても機能するものである。
【００１１】
［店舗システムの説明］
まず、店舗システム１について説明する。ＰＯＳ端末２は、店舗の精算場所に配設されてキャッシャが売上処理を行うためのものであり、図２に示すような構成とされている。ＰＯＳ端末２には、本体１１の上面側にキーボード１２が設けられており、本体１１の下部側にはドロワ１３が引出自在に設けられている。また、本体１１の奥側には表示器１４が設けられている。さらには、磁気カード（図示せず）の読み取りを行うための磁気カードリーダ１５がキーボード１２の脇に並設されている。さらに、ＰＯＳ端末２には、商品コードを光学的に読み取るためのバーコードスキャナ１６も接続されている。
【００１２】
このようなＰＯＳ端末２の電装系は図３に示すように構成されている。ＰＯＳ端末２は、ＣＰＵ（Ｃｅｎｔｒａｌ  Ｐｒｏｃｅｓｓｉｎｇ  Ｕｎｉｔ）、制御プログラムを格納するＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成されるＰＯＳ制御部１７を保有し、バス１９を介して接続された通信インタフェース２０から、ＬＡＮ３を介してストアコンピュータ４との間で相互にオンライン通信を実行し得るように構成されている。
【００１３】
また、ＰＯＳ制御部１７には、バス１９及びＩ／Ｏ機器制御部２１を介して、前述したキーボード１２、表示器１４、磁気カードリーダ１５、バーコードスキャナ１６とともに、プリンタ２２及びハードディスクドライブ装置（ＨＤＤ）１８が接続されている。プリンタ２２は、ＰＯＳ端末２の本体１１内に内蔵されたレシート／ジャーナルプリンタであり、売上処理に伴い、取引単位でレシートを発行するとともに、並行してジャーナル用紙への印字を行うものである。
【００１４】
ハードディスクドライブ装置（ＨＤＤ）１８には、ＰＯＳ制御部１７のＣＰＵを動作させる制御プログラムの他、商品マスタファイルＦ１、ＰＯＳ売上ファイルＦ２等が格納されている。商品マスタファイルＦ１は、商品コードに対応付けて商品名や単価を記憶するものである。ＰＯＳ売上ファイルＦ２は、当該ＰＯＳ端末２における売上データを記憶するものである。
【００１５】
ＰＯＳ制御部１７は、ＣＰＵがハードディスクドライブ装置（ＨＤＤ）１８に記憶されている制御プログラムに従って動作することにより、後述する各種の機能を実現する。
【００１６】
一方、店舗システム１を構成するストアコンピュータ４は、店舗システム１全体の制御を受持ち、その電装系は、例えば、図４に示すような構成とされている。ストアコンピュータ４は、ＣＰＵ、ＲＯＭ、ＲＡＭ等で構成される制御部２３を保有し、バス２５を介して接続された通信インタフェース２６から、ＬＡＮ３を介して複数台のＰＯＳ端末２との間で相互にオンライン通信を実行し得るように構成されている。また、通信インタフェース２６は、通信ネットワークＮを介して流通チェーン本部のプライスカード発行装置１００との間で相互にオンライン通信を実行し得るように構成されている。さらに、制御部２３にはバス２５及びＩ／Ｏ機器制御部２７を介して、キーボード２８、表示器２９、プリンタ３０及びハードディスクドライブ装置（ＨＤＤ）２４が接続されている。
【００１７】
ハードディスクドライブ装置（ＨＤＤ）２４には、制御部２３のＣＰＵを動作させる制御プログラムの他、商品マスタファイルＦ１１、店舗売上ファイルＦ１２、プライスカード要求データファイルＦ１３等が格納されている。商品マスタファイルＦ１１は、商品コードに対応付けて商品名や単価を記憶するものであり、ＰＯＳ端末２のハードディスクドライブ装置（ＨＤＤ）１８に格納されている商品マスタファイルＦ１と同一性が保たれている。店舗売上ファイルＦ１２は、各ＰＯＳ端末２から送信される売上データ、及び各ＰＯＳ端末２から送信される売上データを集計した店舗売上データを記憶するものである。プライスカード要求データファイルＦ１３は、後述する携帯用情報端末５から送信されたプライスカード要求データを記憶するものである。
【００１８】
制御部２３は、ＣＰＵがハードディスクドライブ装置（ＨＤＤ）２４に記憶されている制御プログラムに従って動作することにより、後述する各種の機能を実現する。
【００１９】
以上のようなＰＯＳ端末２とストアコンピュータ４とによる売上処理の際の動作について簡単に説明する。例えば商品に付された商品コードがＰＯＳ端末２のバーコードスキャナ１６によって読み取られると、読み取られた商品コードに基づいて商品マスタファイルＦ１が検索され、該当する商品コードに対応した商品名や単価等が読み出されて、売上処理や表示器１４への表示、またプリンタ２２によりレシート発行が行われるとともに、売上データがＰＯＳ売上ファイルＦ２に累計される。また、ＰＯＳ売上ファイルＦ２に累計された売上データは、所定のタイミングでストアコンピュータ４に送信される。さらに、ＰＯＳ端末２から売上処理した売上データを送信されたストアコンピュータ４側では、各ＰＯＳ端末２からの売上データを店舗売上ファイルＦ１２に記憶するとともに、各ＰＯＳ端末２から送信された売上データを集計した店舗売上データを店舗売上ファイルＦ１２に記憶する。このように店舗売上ファイルＦ１２に記憶された店舗売上データは、所定のタイミング（例えば、精算処理時）で流通チェーン本部のプライスカード発行装置１００に送信される。
【００２０】
次に、携帯用情報端末５について説明する。本実施の形態の携帯用情報端末５は、その外観等については周知のものと何ら変わるものではないため説明を省略する。このような携帯用情報端末５の電装系は図５に示すように構成されている。携帯用情報端末５は、ＣＰＵ、制御プログラムを格納するＲＯＭ、ＲＡＭ等で構成されるＰＤＡ制御部５１を保有し、バス５２を介して接続された通信インタフェース５３から、無線通信ユニット６及びＬＡＮ３を介してストアコンピュータ４との間でオンライン通信を実行し得るように構成されている。
【００２１】
また、ＰＤＡ制御部５１には、バス５２及びＩ／Ｏ機器制御部５４を介して、キーボード５５、表示器５６、バーコードスキャナ５７及びハードディスクドライブ装置（ＨＤＤ）５８が接続されている。すなわち、本実施の形態の携帯用情報端末５は、バーコードスキャナ５７によってバーコードのデータ読取り等が可能とされており、バーコードスキャナ５７により読み取られるバーコードとしては、一般に商品等に付されている商品コードが適用されている。
【００２２】
ハードディスクドライブ装置（ＨＤＤ）５８には、ＰＤＡ制御部５１のＣＰＵを動作させる制御プログラム等が格納されている。
【００２３】
ＰＤＡ制御部５１は、ＣＰＵがハードディスクドライブ装置（ＨＤＤ）５８に記憶されている制御プログラムに従って動作することにより、後述する各種の機能を実現する。
【００２４】
以上のような携帯用情報端末５による従来から行われている処理であるプライスカード要求処理の際の動作について簡単に説明する。プライスカード要求処理は、プライスカードの発行を希望する商品に付されている商品コードが携帯用情報端末５のバーコードスキャナ５７によって読み取られるとともに、商品毎にキーボード５５により必要枚数が入力されると、読み取られた商品コードと必要枚数とが対応付けられたプライスカード要求データが生成され、ＲＡＭに形成されるプライスカード要求データテーブル（図示せず）に記憶される。このようにしてプライスカード要求データテーブルに記憶されたプライスカード要求データは、キーボード５５における所定のキー操作により、ストアコンピュータ４に送信され、ストアコンピュータ４のプライスカード要求データファイルＦ１３に記憶される。ここに、プライスカード要求データ生成手段が実現されている。
【００２５】
［流通チェーン本部のプライスカード発行装置１００］
続いて、流通チェーン本部のプライスカード発行装置１００について説明する。プライスカード発行装置１００は、一般的なコンピュータと同様の構成とされているものである。プライスカード発行装置１００の電装系は、例えば、図６に示すような構成とされている。プライスカード発行装置１００は、ＣＰＵ、ＲＯＭ、ＲＡＭ等で構成される制御部３１を保有し、バス３３を介して接続された通信インタフェース３２から、通信ネットワークＮを介して店舗システム１を構成するストアコンピュータ４との間で相互にオンライン通信を実行し得るように構成されている。また、制御部３１にはバス３３及びＩ／Ｏ機器制御部３４を介して、キーボード３５、表示器３６、プリンタ３７及びハードディスクドライブ装置（ＨＤＤ）３８が接続されている。
【００２６】
ハードディスクドライブ装置（ＨＤＤ）３８には、制御部３１のＣＰＵを動作させる制御プログラムの他、売上ファイルＦ２１、プライスカード要求データファイルＦ２２等が格納されている。売上ファイルＦ２１は、各店舗のストアコンピュータ４から送信される店舗売上データを記憶するものである。プライスカード要求データファイルＦ２２は、ストアコンピュータ４から送信されたプライスカード要求データを記憶するものである。
【００２７】
制御部３１は、ＣＰＵがハードディスクドライブ装置（ＨＤＤ）３８に記憶されている制御プログラムに従って動作することにより、例えばプリンタ３７からプライスカードを印字発行するプライスカード発行処理等の機能を実現する。
【００２８】
［情報処理システムＡが備える特長的な機能の説明］
次に、本実施の形態の情報処理システムＡが備える特長的な機能について以下において詳細に説明する。なお、従来から行われている処理と同様の処理についてはその説明を省略する。ここでは、本実施の形態の情報処理システムＡ（ストアコンピュータ４及びＰＯＳ端末２）が備える特長的な機能を実現するプライスカード発行処理について説明する。
【００２９】
［プライスカード発行処理の説明］
ここで、図７は店舗システム１を構成するストアコンピュータ４及びＰＯＳ端末２におけるプライスカード発行処理の流れを示すフローチャートである。図７に示すように、ストアコンピュータ４においてキーボード２８における所定のキー操作によりプライスカード発行要求が宣言されたと判断されると（ステップＳ１のＹ：プライスカード発行宣言手段）、ストアコンピュータ４のプライスカード要求データファイルＦ１３に記憶されたプライスカード要求データが流通チェーン本部のプライスカード発行装置１００に送信される（ステップＳ２：プライスカード要求データ送信手段）。このようにして流通チェーン本部のプライスカード発行装置１００に送信されたプライスカード要求データは、流通チェーン本部のプライスカード発行装置１００においてプライスカード発行処理に供される。
【００３０】
加えて、本実施の形態においては、ストアコンピュータ４のプライスカード要求データファイルＦ１３に記憶されたプライスカード要求データがＰＯＳ端末２にも送信される（ステップＳ３：仮プライスカード要求データ送信手段）。このようにＰＯＳ端末２にもプライスカード要求データを送信するのは、ＰＯＳ端末２から後述する仮プライスカードを発行するためである。
【００３１】
一方、ＰＯＳ端末２においては、ストアコンピュータ４から送信されたプライスカード要求データを受信した場合には（ステップＰ１のＹ）、プライスカード要求データに基づいてプライスカード印字データが生成される（ステップＰ２）。ここで、プライスカード印字データは、受信したプライスカード要求データの商品コードに基づいて商品マスタファイルＦ１を検索して該当する商品コードに対応した商品名や単価を読み出すことにより生成される商品情報（商品に関する商品コード、商品名、単価）と、商品コードに基づいて生成されるバーコード情報とで構成される。
【００３２】
その後、ＰＯＳ端末２の本体１１内に内蔵されたレシート／ジャーナルプリンタであるプリンタ２２によりプライスカード印字データに基づいて仮プライスカードが印字発行される（ステップＰ３）。
【００３３】
以上のステップＰ１〜Ｐ３により、仮プライスカード発行手段の機能が実行される。
【００３４】
ここで、図８はプリンタ２２により印字発行された仮プライスカードＰを示す平面図である。図８に示すように、印字発行された仮プライスカードＰには、商品に関する商品名ａ、単価ｂ、商品コードｃとともに、商品コードに基づいて生成されるバーコードｄが印字されている。そして、このような仮プライスカードＰは、ＰＯＳ端末２の本体１１内に内蔵されたレシート／ジャーナルプリンタであるプリンタ２２により印字されることから、一般的なロール紙に印字されることになるので、図８に示すように、各商品に関する仮プライスカードＰが連続して印字されている。また、プライスカード要求データには必要枚数が含まれていることから、２以上の必要枚数が対応付けられた商品に関する仮プライスカードＰは必要枚数分だけ連続して印字されている。なお、これらの仮プライスカードＰは、それぞれ鋏などで切り離されてから使用されることになる。
【００３５】
このように本実施の形態によれば、プライスカードの発行が宣言された場合に、プライスカードを印字発行するプライスカード発行装置１００のみならず、売上処理を行うＰＯＳ端末２に対してもプライスカード要求データが送信される。これにより、ＰＯＳ端末２でプライスカード要求データに従って暫定的な仮プライスカードＰを印字発行することで、店舗から流通チェーン本部に対してプライスカードの発行依頼をし、流通チェーン本部から店舗にプライスカードが郵送されてくるまでの間、店舗のＰＯＳ端末２で発行した当該仮プライスカードＰを用いることで、商品の陳列棚に陳列されている商品に対応したプライスカード（棚札）が取り付けられていないという事態を回避することができる。
【００３６】
また、本実施の形態によれば、仮プライスカードＰは、ＰＯＳ端末２の商品の売上処理に基づくレシートを印字発行するレシートプリンタ２２から印字発行される。これにより、仮プライスカードＰを発行する専用のプリンタを新たに設ける必要は無く、低コストで仮プライスカードＰを発行することが可能になる。
【００３７】
なお、本実施の形態においては、プライスカード発行制御装置としてストアコンピュータ４を適用したが、これに限るものではない。例えば、ＰＯＳ端末２について、マスタ機能を有するマスタＰＯＳ端末とマスタ機能を有していないサテライトＰＯＳ端末とを区別しているような場合には、マスタＰＯＳ端末をプライスカード発行制御装置としても良い。
【００３８】
【発明の効果】
本発明によれば、店舗から流通チェーン本部に対してプライスカードの発行依頼をし、流通チェーン本部から店舗にプライスカードが郵送されてくるまでの間、店舗の商品販売データ処理装置で発行した当該仮プライスカードを用いることで、商品の陳列棚に陳列されている商品に対応したプライスカード（棚札）が取り付けられていないという事態を回避することができる。
【図面の簡単な説明】
【図１】本発明の実施の一形態の情報処理システムの全体構成を概略的に示すシステム構成図である。
【図２】ＰＯＳ端末を概略的に示す外観斜視図である。
【図３】ＰＯＳ端末の電装系を示すブロック図である。
【図４】ストアコンピュータの電装系を示すブロック図である。
【図５】携帯用情報端末の電装系を示すブロック図である。
【図６】プライスカード発行装置の電装系を示すブロック図である。
【図７】プライスカード発行処理の流れを示すフローチャートである。
【図８】仮プライスカードを示す平面図である。
【符号の説明】
２…商品販売データ処理装置、４…プライスカード発行制御装置、２２…レシートプリンタ、１００…プライスカード発行装置
【図１】
2004348611.tif 000003
【図２】
2004348611.tif 000004
【図３】
2004348611.tif 000005
【図４】
2004348611.tif 000006
【図５】
2004348611.tif 000007
【図６】
2004348611.tif 000008
【図７】
2004348611.tif 000009
【図８】
2004348611.tif 000010